(57)【要約】      （修正有）【課題】包装容器製品の組立作業の自動化、多品種少量生産及び製品の低コストを可能にする。【解決手段】紙製包装容器１０を構成する底板１１と蓋板１２、及び媒体収容部１３を構成する表面板１３１、台板１３３、媒体収容空間確保用板材１３５等を板紙からの打ち抜きで容易に加工することができるとともに、媒体収容空間確保用板材１３５を台板１３３の内面側へ折り重ねるとともに媒体収容空間確保用板材を１３５含む台板１３３を表面板１３１の内面側へ折り重ね、かつ各貼着片１３８，１３９を台板１３３の天地側縁部に折り重ねて貼着することで媒体収容部１３を組み立て、この媒体収容部１３を底板１１の内面へ折り重ねて貼着することにより包装容器を構成する。【選択図】図２
0003104313.tif 000002
【実用新案登録請求の範囲】
【請求項１】
ＣＤやＣＤ−Ｒ，ＤＶＤ等の記録媒体を包装する紙製の包装容器であって、
前記記録媒体の径より大きい同一の天地寸法と幅寸法を有する底板及び蓋板と、前記底板にその幅方向に連設された媒体収容部とを備え、
前記底板と蓋板の幅方向の一端は収容空間確保用の第１側板を介して互いに折り曲げ可能に連結され、
前記媒体収容部は、前記底板の幅方向の他端に収容空間確保用の第２側板を介して折り曲げ可能に連結され前記記録媒体の径より大きい天地寸法と幅寸法を有する表面板と、前記表面板の前記底板への連結側と反対の端に収容空間確保用の第３側板を介して折り曲げ可能に連結され前記記録媒体の径より大きい天地寸法と幅寸法を有する台板と、前記台板の前記表面板への連結側と反対の端に折線を介して折り曲げ可能に連結された媒体収容空間確保用板材とを有し、
前記表面板と媒体収容空間確保用板材の中央個所には前記記録媒体の径に相当する収納穴がそれぞれ同心に形成され、前記台板の中央個所に前記記録媒体の中心穴が係脱可能に係合する支持ハブが設けられ、前記表面板の天地方向の両端には収容空間確保用の側板を介して貼着片がそれぞれ折り曲げ可能に設けられ、
前記媒体収容空間確保用板材を前記折線から前記台板の内面側へ折り重ねるとともに該媒体収容空間確保用板材を含む台板を前記第３側板を支点に前記表面板の内面側へ折り重ね、かつ前記各貼着片を収容空間確保用側板を支点に前記台板の天地側縁部に折り重ねて貼着することにより媒体収容部を組み立て、さらに、この媒体収容部を前記第２側板を支点に前記底板の内面へ折り重ねて貼着するように構成したことを特徴とする記録媒体用紙製包装容器。
【請求項２】
前記底板と蓋板及び前記媒体収容部の構成要素は所望厚さの板紙から構成されていることを特徴とする請求項１記載の記録媒体用紙製包装容器。
【請求項３】
前記媒体収容部の前記底板への貼着は前記貼着片を利用して行われることを特徴とする請求項１記載の記録媒体用紙製包装容器。
【請求項４】
前記貼着片の前記台板への貼着及び前記媒体収容部の前記底板への貼着は粘着テープなどの接着剤でなされるように構成したことを特徴とする請求項１記載の記録媒体用紙製包装容器。
【考案の詳細な説明】
【技術分野】
【０００１】
本考案は、光ディスクであるＣＤやＣＤ−Ｒ，ＤＶＤ等の記録媒体を包装するのに好適な記録媒体用紙製包装容器に関する。
【背景技術】
【０００２】
近年、ＣＤやＣＤ−Ｒ，ＤＶＤ等の記録媒体を単体で包装する包装容器には、プラスチック製の容器に代えて紙製の容器が出現してきている（例えば特許文献１参照）。
この種の紙製包装容器は、図１に示すように、一辺の寸法が記録媒体（光ディスク）１の径（例えば、１２０ｍｍ）より大きい寸法を有する四角状の基板２と、この基板２の一側縁に記録媒体１の厚さ(例えば、１.２ｍｍ以上）に対応する幅の背部３を介して折り曲げ可能に連接された蓋板４と、基板２の内面に接着され、かつ記録媒体１が収容し得る径の収容穴５を有するとともに記録媒体１の厚さに相当する厚さのチップダンボール等からなる媒体収容部材６とから構成されている。なお、基板２、背部３及び蓋板４は、例えば０.３ｍｍ以上の板紙から構成される。
【０００３】
このような紙製包装容器を用いて記録媒体１を包装する場合は、表紙板４を開いた状態で、記録媒体１を媒体収容部材６の収容穴５内に入れ、媒体収容部材６の中心に位置して基板２の内面に設けたハブ７に記録媒体１の中心穴を係合する。そして、媒体収容部材６の開放側が覆われるように蓋板４を媒体収容部材６の上面に重ね合わせ、この蓋板４を媒体収容部材６に固定する。
【特許文献１】特開平７−２５７５５９号公報
【考案の開示】
【考案が解決しようとする課題】
【０００４】
しかし、上記のような従来の紙製包装容器における基板２及び蓋板４と媒体収容部材６は、それぞれ異なる部材から別々に形成され、これら部品を組み合わせることで包装容器が構成されるものであるため、包装容器の成形の自動化が面倒になるとともに多品種少量生産に適合せず、製品コストが上昇するという問題があった。
【０００５】
本考案は、上記のような従来の問題を解決するためになされたもので、包装容器製品の自動化を容易に実現可能にするとともに多品種少量生産を可能にし、併せて製品の低コストを可能にした記録媒体用紙製包装容器を提供することを目的とする。
【課題を解決するための手段】
【０００６】
上記目的を達成するために請求項１の考案は、ＣＤやＣＤ−Ｒ，ＤＶＤ等の記録媒体を包装する紙製の包装容器であって、前記記録媒体の径より大きい同一の天地寸法と幅寸法を有する底板及び蓋板と、前記底板にその幅方向に連設された媒体収容部とを備え、前記底板と蓋板の幅方向の一端は収容空間確保用の第１側板を介して互いに折り曲げ可能に連結され、前記媒体収容部は、前記底板の幅方向の他端に収容空間確保用の第２側板を介して折り曲げ可能に連結され前記記録媒体の径より大きい天地寸法と幅寸法を有する表面板と、前記表面板の前記底板への連結側と反対の端に収容空間確保用の第３側板を介して折り曲げ可能に連結され前記記録媒体の径より大きい天地寸法と幅寸法を有する台板と、前記台板の前記表面板への連結側と反対の端に折線を介して折り曲げ可能に連結された媒体収容空間確保用板材とを有し、前記表面板と媒体収容空間確保用板材の中央個所には前記記録媒体の径に相当する収納穴がそれぞれ同心に形成され、前記台板の中央個所に前記記録媒体の中心穴が係脱可能に係合する支持ハブが設けられ、前記表面板の天地方向の両端には収容空間確保用の側板を介して貼着片がそれぞれ折り曲げ可能に設けられ、前記媒体収容空間確保用板材を前記折線から前記台板の内面側へ折り重ねるとともに該媒体収容空間確保用板材を含む台板を前記第３側板を支点に前記表面板の内面側へ折り重ね、かつ前記各貼着片を収容空間確保用側板を支点に前記台板の天地側縁部に折り重ねて貼着することにより媒体収容部を組み立て、さらに、この媒体収容部を前記第２側板を支点に前記底板の内面へ折り重ねて貼着するように構成したことを特徴とする。
【０００７】
請求項２の考案は、請求項１記載の記録媒体用紙製包装容器において、前記底板と蓋板及び前記媒体収容部の構成要素は所望厚さの板紙から構成されていることを特徴とする。
請求項３の考案は、請求項１記載の記録媒体用紙製包装容器において、前記媒体収容部の前記底板への貼着は前記貼着片を利用して行われることを特徴とする。
請求項４の考案は、請求項１記載の記録媒体用紙製包装容器において、前記貼着片の前記台板への貼着及び前記媒体収容部の前記底板への貼着は粘着テープなどの接着剤でなされるように構成したことを特徴とする。
【考案の効果】
【０００８】
本考案にかかる記録媒体用紙製包装容器によれば、これを構成する底板と蓋板、及び媒体収容部を構成する表面板、台板、媒体収容空間確保用板材を板紙からの打ち抜きで容易に加工することができるとともに、媒体収容空間確保用板材を台板の内面側へ折り重ねるとともに媒体収容空間確保用板材を含む台板を表面板の内面側へ折り重ね、かつ各貼着片を台板の天地側縁部に折り重ねて貼着することで媒体収容部を組み立て、この媒体収容部を底板の内面へ折り重ねて貼着することにより包装容器の組み立てが可能であるため、包装容器製品の組み立て作業性が優れていると共に、組み立てのための自動化が容易に実現でき、多品種少量生産が可能になり、併せて製品の低コストが可能になる。
【考案を実施するための最良の形態】
【０００９】
本考案おける最良の形態は、記録媒体用紙製包装容器を構成する底板と蓋板、及び媒体収容部を構成する表面板、台板、媒体収容空間確保用板材を板紙からの打ち抜きで加工できるようにし、そして、媒体収容空間確保用板材を台板の内面側へ折り重ねるとともに媒体収容空間確保用板材を含む台板を表面板の内面側へ折り重ね、かつ各貼着片を台板の天地側縁部に折り重ねて貼着することで媒体収容部を組み立て、この媒体収容部を底板の内面へ折り重ねて貼着することにより包装容器の組み立てを可能する。これにより、包装容器製品の自動化、多品種少量生産及び製品の低コストが可能になる。
【実施例１】
【００１０】
以下、本考案の実施例について図面を参照して説明する。
図２は本考案の実施例１における記録媒体用紙製包装容器を展開して示す平面図、図３は図２の３−３線に沿う断面図、図４は本考案の実施例１における紙製包装容器を組み立てて記録媒体を収容した状態を示す斜視図、図５は図４の５−５線に沿う拡大断面図である。
【００１１】
紙製包装容器１０は、図２〜図５に示すように、ＣＤや、ＣＤ−Ｒ，ＤＶＤ，ＣＤ−ＲＯＭ等の記録媒体１の径（例えば１２０ｍｍ）より大きい同一の天地寸法（例えば２１５ｍｍ）と幅寸法（例えば１５３ｍｍ）を有する底板１１及び蓋板１２と、この底板１２の幅方向に連設された媒体収容部１３とを備える。
前記底板１１と蓋板１２の幅方向の一端は、所定の幅（例えば７ｍｍ）と底板１１及び蓋板１２と同一の天地寸法を有する収容空間確保用の第１側板１４を介して互いに折り曲げ可能に連結されている。
【００１２】
前記媒体収容部１３は、底板１１の幅方向の他端に所定の幅（例えば、７ｍｍ）と底板１１及び蓋板１２と同一の天地寸法を有する収容空間確保用の第２側板１５を介して折り曲げ可能に連結された、記録媒体１の径より大きい天地寸法（例えば２１５ｍｍ）と幅寸法（例えば１５１ｍｍ）を有する表面板１３１と、この表面板１３１の底板１１への連結側と反対の端に所定の幅（例えば６ｍｍ）と底板１１及び蓋板１２と同一の天地寸法を有する収容空間確保用の第３側板１３２を介して折り曲げ可能に連結された、記録媒体１の径より大きい天地寸法（例えば２１５ｍｍ）と幅寸法（例えば１５０ｍｍ）を有する台板１３３と、この台板１３３の表面板１３１への連結側と反対の端に折線１３４を介して折り曲げ可能に連結された、記録媒体１の径より大きい天地寸法（例えば２１５ｍｍ）と幅寸法（例えば１４５ｍｍ）を有する媒体収容空間確保用板材１３５とを備える構成になっている。
【００１３】
前記表面板１３１と媒体収容空間確保用板材１３５の中央個所には記録媒体１の径より僅かに大きい収納穴１３１Ａ，１３５Ａがそれぞれ同心に形成されている。また、前記台板１３３の中央個所には媒体支持穴１３３Ａが前記収納穴１３１Ａ，１３５Ａと同心に形成されており、この媒体支持穴１３３Ａには、記録媒体１の中心穴１Ａが係脱可能に係合する支持ハブ１６が台板１３３の外面から内面側へ突出するように挿通され、接着剤により台板１３３に固定されている。
また、前記表面板１３１の天地方向の両端には、表面板１３１の幅寸法（例えば１５１ｍｍ）と同一の長さと所望の幅（例えば４ｍｍ）の収容空間確保用側板１３６，１３７を介して貼着片１３８，１３９がそれぞれ折り曲げ可能に設けられている。
【００１４】
このような紙製包装容器１０を構成する底板１１と蓋板１２、及び媒体収容部１３を構成する表面板１３１、台板１３３、媒体収容空間確保用板材１３５、各側板１４，１５，１３２，収容空間確保用側板１３６，１３７及び貼着片１３８，１３９は、例えば０.３ｍｍ以上の板紙からの打ち抜き加工によって成形することができる。
【００１５】
次に、図１に示すように展開されているものを記録媒体１が収容可能な箱体に組み立てる場合について説明する。
まず、支持ハブ１６を台板１３３の媒体支持穴１３３Ａに台板１３３の外面から挿入して、台板１３３の内面側へ突出させ、この状態で支持ハブ１６を台板１３３に両面テープ或いは接着剤で接着し固定する（図５参照）。
【００１６】
次いで、図４及び図５の示すように、媒体収容空間確保用板材１３５を折線１３４から台板１３３の内面側へ折り重ねるとともに、この媒体収容空間確保用板材１３５を含む台板１３３を第３側板１３２を支点にして表面板１３１の内面側へ折り重ねる。その後、収容空間確保用側板１３６，１３７を支点にして各貼着片１３８，１３９を台板１３３の天地側縁部に折り重ね，両面に接着層を有する粘着テープなどを利用して、貼着片１３８，１３９を台板１３３に貼着する。これにより、表面板１３１、台板１３３及び媒体収容空間確保用板材１３５を記録媒体１の収容が可能な箱状に組み立て、媒体収容部１３を構成する。
【００１７】
しかる後、第２側板１５を支点にして、上記箱状に組み立てられた媒体収容部１３を底板１１の内面へ折り重ね、貼着片１３８，１３９の外表面に付けた粘着テープなどの接着剤を用いて媒体収容部１３を底板１１に貼着し固定する。その後、図５に示すように、媒体収容部１３の表面板１３１が上面を向く姿勢にし、かつ蓋板１２を開いた状態で保持する。この状態で、記録媒体１を表面板１３１の収納穴１３１Ａ及び媒体収容空間確保用板材１３５の収納穴１３５Ａに挿入し、その中心穴１Ａを支持ハブ１６に係合すれば、記録媒体１を媒体収容部１３内に収納できる。
【００１８】
このような本実施例１に示す紙製包装容器１０によれば、これを構成する底板１１と蓋板１２、及び媒体収容部１３を構成する表面板１３１、台板１３３、媒体収容空間確保用板材１３５等を板紙からの打ち抜きで容易に加工することができるとともに、媒体収容空間確保用板材１３５を台板１３３の内面側へ折り重ねるとともに媒体収容空間確保用板材を１３５含む台板１３３を表面板１３１の内面側へ折り重ね、かつ各貼着片１３８，１３９を台板１３３の天地側縁部に折り重ねて貼着することで媒体収容部１３を組み立て、この媒体収容部１３を底板１１の内面へ折り重ねて貼着することにより包装容器の組み立てができるようにしたので、包装容器製品の自動化が容易に実現できるとともに多品種少量生産が可能になり、併せて製品の低コストが可能になる。
【００１９】
また、上記実施例１によれば、媒体収容空間確保用板材１３５を設けることにより、媒体収容部１３の記録媒体収容空間を常時安定に確保できるほか、記録媒体１を安全かつ確実の収容できる。また、蓋板１２は片開き式に開閉できるため、紙製包装容器１０への記録媒体１の収納及び紙製包装容器１０からの記録媒体１の取り出しが容易であるという効果を有する。
【００２０】
なお、本考案は上記実施例に限定されるものではなく、その要旨を逸脱しない範囲において、具体的な構成、機能、作用、効果において、他の種々の形態によって実施することができる。
【図面の簡単な説明】
【００２１】
【図１】従来における紙製包装容器の一例を示す斜視図である。
【図２】本考案の実施例１における記録媒体用紙製包装容器を展開して示す平面図である。
【図３】図２の３−３線に沿う断面図である。
【図４】本考案の実施例１における紙製包装容器を組み立てて記録媒体を収容した状態を示す斜視図である。
【図５】図４の５−５線に沿う拡大断面図である。
【符号の説明】
【００２２】
１          記録媒体
１０        紙製包装容器
１１        底板
１２        蓋板
１３        媒体収容部
１３１      表面板
１３１Ａ    収納穴
１３２      第３側板
１３３      台板
１３４      折線
１３５      媒体収容空間確保用板材
１３５Ａ    収納穴
１３６，１３７    収容空間確保用側板
１３８，１３９    貼着片
１４        第１側板
１５        第２側板
１６        第２側板
【図１】
0003104313.tif 000003
【図２】
0003104313.tif 000004
【図３】
0003104313.tif 000005
【図４】
0003104313.tif 000006
【図５】
0003104313.tif 000007